(57)【特許請求の範囲】
【請求項１】
帯状をなす基材シートと、この基材シートの一方の面に積層された接着剤層とを備えた捕虫シートにおいて、
前記基材シートに所定間隔毎に罫線を施すとともに、当該基材シートの短手方向両端に沿って接着剤層を積層しない第１の非接着領域を設け、
前記基材シートの長手方向一端側であって当該基材シートの短手方向全域に剛性を有する引掛シートを装着するとともに、前記長手方向他端側に第２の非接着領域を設け、
前記接着剤層をカバーする剥離シートを含み、この剥離シートには、前記基材シートの罫線と略直交する方向に延びる罫線が所定間隔毎に施されていることを特徴とする捕虫シート。
【発明の詳細な説明】
【技術分野】
【０００１】
本発明は、捕虫シートに係り、更に詳しくは、捕虫器に取り付けた状態でも長期に亘って確実に保持することができる捕虫シートに関する。
【背景技術】
【０００２】
従来より、例えば、食品や粘着シート、精密機械等の製品に虫が混入することを防止するために捕虫器が利用されている（特許文献１参照）。特許文献１の捕虫器は、捕虫シートを用いており、この捕虫シートの面形状は、方形に形成されているとともに、外周に沿って接着剤層を積層しない領域が設けられている。
【０００３】
【特許文献１】特開２００３−９２９６４号公報
【特許文献２】特開２００２−１５６号公報
【発明の開示】
【発明が解決しようとする課題】
【０００４】
しかしながら、特許文献１の捕虫シートは、折り曲げて枠体上に置いただけのものであり、固定手段等を介して保持していないため、捕虫シートが意図することなく移動してしまって、捕虫できない姿勢になり易い、という不都合がある。
【０００５】
また、特許文献２の捕虫シートは、帯状の基材シートの長手方向両側に孔がそれぞれ設けられ、これらの孔をフックに挿通することで、捕虫シートがフレームに引っ掛け保持される。ところが、同文献は、１枚の基材シートに孔加工が施され、孔周りの剛性や強度を強くするといった補強が特に行われていないため、捕虫期間中に孔周りが破れて落下し、結果として捕虫ができなくなる、という不都合がある。また、紫外線を誘引手段とした場合、この紫外線光によって基材シートが劣化し、孔周りが破れやすくなる、という不都合を招来する。
【０００６】
ところで、捕虫器に用いられる捕虫シートにあっては、捕虫後に単位面積当たりの捕虫数を簡単に評価できるようにする要求がある。
【０００７】
［発明の目的］
本発明は、前述した不都合に着目して案出されたものであり、その目的は、捕虫器に取り付けた状態でも長期に亘って確実に保持することができる捕虫シートを提供することにある。
また、本発明の他の目的は、接着層の領域毎に捕獲した虫をカウントし易くすることができる捕虫シートを提供することにある。
【課題を解決するための手段】
【０００８】
前記目的を達成するため、本発明は、帯状をなす基材シートと、この基材シートの一方の面に積層された接着剤層とを備えた捕虫シートにおいて、
前記基材シートに所定間隔毎に罫線を施すとともに、当該基材シートの短手方向両端に沿って接着剤層を積層しない第１の非接着領域を設け、
前記基材シートの長手方向一端側であって当該基材シートの短手方向全域に剛性を有する引掛シートを装着するとともに、前記長手方向他端側に第２の非接着領域を設け、
前記接着剤層をカバーする剥離シートを含み、この剥離シートには、前記基材シートの罫線と略直交する方向に延びる罫線が所定間隔毎に施される、という構成を採っている。
【発明の効果】
【００１２】
本発明によれば、基材シートの長手方向一端側に剛性を有する引掛シートを装着したので、フック等により引っ掛け保持する場合や、紫外線を誘引手段として使用する場合であっても、破れ等が生じることを回避でき、捕虫シートを長期に亘って確実に保持することが可能となる。しかも、基材シートの短手方向両端に沿って第１の非接着領域を設け、長手方向他端側に第２の非接着領域を設けたので、これら非接着領域を利用してフックやマグネット等で捕虫器に保持させることができ、捕虫シートの取り付け安定性を向上させることができる。
【００１３】
また、基材シートに所定間隔毎に罫線を施した場合、例えば、罫線の間隔毎に捕虫数を容易にカウントして評価することが可能となる。剥離シートに所定間隔毎に罫線を施した場合、捕虫後の接着剤層に剥離シートを再接着することで、同様に評価することができる。
【００１４】
更に、基材シートの罫線と略直交する方向に延びる罫線を剥離シートに施した場合、捕虫後の接着剤層に剥離シートを接着することで、各罫線により升目を形成することができ、単位面積当たりの捕虫数をより簡単に評価することが可能となる。
【発明を実施するための最良の形態】
【００１５】
以下、参考実施例を説明した後に、本発明の好ましい実施の形態について、図面を参照しながら説明する。
なお、本明細書の方向若しくは位置を示す用語は、特に明示しない限り、図１中矢印Ａ方向から見た場合を基準とし、「前」とは矢印Ａ方向から見た場合の手前側を示す一方、「後」とは、同奥行き側について用いられ、「左」「右」も同様に矢印Ａ方向から見た場合を基準とする。
【００１６】
図１には、参考実施形態に係る捕虫シートを用いた捕虫器の概略斜視図が示され、図２には、その分解斜視図が示されている。これらの図において、捕虫器１０は、虫を誘引する誘引手段１１と、この誘引手段１１を支持するフレーム１２と、このフレーム１２の前後両側にそれぞれ設けられる帯状の捕虫シート１３と、この捕虫シート１３をフレーム１２に取り付けるための取付手段１４とを備えて構成されている。
【００１７】
前記誘引手段１１は、図示しない電力源に接続される蛍光灯１６により構成され、フレーム１２の内部で支持されている。なお、蛍光灯１６は、虫を誘引可能な波長の光、例えば紫外線を発光するものが好ましい。
【００１８】
前記フレーム１２は、前後に開口１８を有する箱状に形成されている。具体的には、左右一対の側面フレーム１９と、前後両側にそれぞれ設けられ、開口１８が形成された前面フレーム２１及び後面フレーム２２と、上下両側にそれぞれ設けられた上面フレーム２３及び下面フレーム２４とからなる。フレーム１２は、後述するマグネットが着脱できるように着磁性を有する金属等の素材により構成されるが、マグネット以外の、例えば、クリップ等で捕虫シート１３を取り付ける場合は、着磁性を有する金属で構成する必要はない。また、前、後面フレーム２１、２２の左右両側には、側面フレーム１９が延長されたように突出部２６がそれぞれ設けられ、それら突出部２６の相対面間距離は、捕虫シート１３の左右幅と略同一に設定され、捕虫シート１３の短手方向の位置ずれを規制することができるようになっている。底面フレーム２４には、脚部材２７が取り付けられ、この脚部材２７により捕虫器１０全体が自立可能となっている。
【００１９】
前記捕虫シート１３は、図３に示されるように、帯状の基材シート２９の一方の面に接着剤層３０が積層されている。基材シート２９の短手方向両端すなわち左右両端側には、接着剤層３０を積層しない第１の非接着領域３１が設けられている。基材シート２９の長手方向一端側すなわち上端側には、厚紙等で構成される剛性を有する引掛シート３２が設けられている。また、引掛シート３２には、左右一対の孔３４が設けられている。各孔３４は、丸孔部３４Ａと、この丸孔部３４Ａの上方に連なる長孔部３４Ｂとからなり、いわゆるだるま孔となっている。基材シート２９の下端側には、シート３５を設けることで第２の非接着領域３６が形成されている。シート３５は、前記引掛シート３２と同素材としてもよいし、異なる素材により構成してもよい。
【００２０】
前記取付手段１４は、前、後面フレーム２１、２２における開口１８の上方に設けられた保持手段３９と、捕虫シート１３の下端側に設けられた挟持手段４０と、捕虫シート１３の長手方向すなわち上下方向中間部に設けられた補助挟持手段４１とを備えている。
【００２１】
前記保持手段３９は、先端に大径部が形成された左右一対のフック部材４２からなり、各フック部材４２に孔３４を挿通することで捕虫シート１３の上端側を保持するようになっている。フック部材４２の大径部の寸法は、丸孔部３４Ａの寸法より小さく、且つ、長孔部３４Ｂの左右幅より大きく形成されている。また、フック部材４２の基部の寸法は、長孔部３４Ｂの左右幅と同一又は若干大きく形成されている。
【００２２】
前記挟持手段４０及び補助挟持手段４１は、マグネット４０Ａ、４１Ａによりそれぞれ構成され、その磁性によりフレーム１２に着脱自在に設けられている。挟持手段４０のマグネット４０Ａは、基材シート２９の第１の非接着領域３１を利用して、捕虫シート１３を前、後面フレーム２１、２２に取り付け可能に設けられている。また、マグネット４１Ａは、第２の非接着領域３６を利用して、捕虫シート１３を前、後面フレーム２１、２２に取り付け可能に設けられている。
【００２３】
前記フレーム１２へ捕虫シート１３を取り付ける場合は、フック部材４２に引掛シート３２の丸孔部３４Ａを挿通した後、捕虫シート１３を下方にずらす。その後、第１及び第２の非接着領域３１、３６にマグネット４０Ａ、４１Ａを装着することで捕虫シート１３の取り付けが完了する。この状態で、捕虫シート１３の左右両側に沿って突出部２６が位置するので、捕虫シート１３の面方向の移動やずれを規制することが可能となる。
【００２４】
前記捕虫器１０は、蛍光灯１６を発光させると、その光は、基材シート２９及び接着剤層３０を透過して外部に発せられる。すると、その光に誘引されて虫が蛍光灯１６に向かって飛来し、接着剤層３０に接触した虫が当該接着剤層３０に接着されて捕獲される。なお、図４に示されるように、基材シート２９に罫線３７が施された捕虫シート１３を使用した場合、捕虫の最中又は捕虫後に、罫線３７で区切られた領域毎に捕獲された虫の数を容易にカウントすることができる。
【００２５】
従って、このような参考実施形態によれば、引掛シート３２に孔３４を形成したので、捕虫期間中に孔周りが破れて捕虫シート１３が落下するようなことはなくなる。また、誘引手段１１に紫外線を発光可能な蛍光灯１６を使用したとしても、劣化することなく長期に亘って確実に捕虫シート１３を保持することができる。しかも、第１及び第２の非接着領域３１、３６を設けたので、マグネット４０Ａ、４１Ａが接着剤層３０に接着することなく捕虫シート１３を捕虫器１０に取り付けることが可能となる。
【００２６】
図４には、本発明の実施形態が示されている。この実施形態は、基材シート２９に罫線３７を施すとともに、接着剤層３０をカバーする剥離シート４８に上下方向所定間隔毎に罫線４９を施したものである。これによれば、捕虫後、捕虫シート１３と剥離シート４８とを接着することで、基材シート２９の罫線３７と、剥離シート４８の罫線４９とで升目が形成でき、単位面積当たりの捕虫数をより効果的にカウントすることが可能となる。
本発明を実施するための最良の構成、方法などは、以上の記載で開示されているが、本
発明は、これに限定されるものではない。
すなわち、本発明は、主に特定の実施の形態に関して特に図示し、且つ、説明されてい
るが、本発明の技術的思想及び目的の範囲から逸脱することなく、以上に述べた実施の形
態に対し、形状、数量、その他の詳細な構成において、当業者が様々な変形を加えること
ができるものである。
従って、上記に開示した形状などを限定した記載は、本発明の理解を容易にするために
例示的に記載したものであり、本発明を限定するものではないから、それらの形状などの
限定の一部若しくは全部の限定を外した部材の名称での記載は、本発明に含まれるもので
ある。
【００２８】
また、前記第２の非接着領域３６は、図５に示されるように、シート３５を省略して接着剤層３０を積層しないことで形成してもよい。
【図面の簡単な説明】
【００２９】
【図１】参考実施形態に係る捕虫シートが用いられた捕虫器の概略斜視図。
【図２】図１の分解斜視図。
【図３】捕虫シートの断面図。
【図４】実施形態に係る捕虫シートの概略斜視図。
【図５】変形例に係る捕虫シートの部分概略斜視図。
【符号の説明】
【００３０】
１０  捕虫器
１３  捕虫シート
２９  基材シート
３０  接着剤層
３１  第１の非接着領域
３２  被引掛シート
３５  シート
３６  第２の非接着領域
３７  罫線
４８  剥離シート
４９  罫線
【図１】
0005449678.tif 000002
【図２】
0005449678.tif 000003
【図３】
0005449678.tif 000004
【図４】
0005449678.tif 000005
【図５】
0005449678.tif 000006